(57)【要約】      （修正有）【課題】  ハウジングの取付スペースを小さくし、また、ハウジングを取り付けるためのネジ等の部品をなくし、製造原価のコストダウンおよび作業効率を向上させることができるプラグコネクタを提供する。【解決手段】  電機機器または電子機器のフレーム１０に取り付けられたベース８０と、ベース８０上に、並列に配置し、接続接点が設けられたハウジング６０と、ハウジング６０に嵌合して、該ハウジング６０の接続接点と接続する接続接点が設けられたフード９０とを有し、各ハウジング６０はベース８０に一体形成され、フード９０の接続接点に接続するハウジング６０側は、ベース８０の面に沿って延びていることを特徴とする。【選択図】  図２
2007066752.tif 000002
【特許請求の範囲】
【請求項１】
電機機器または電子機器のフレームに取り付けられたベースと、
前記ベース上に、並列に配置し、接続接点が設けられたハウジングと、
各前記ハウジングに嵌合して、該ハウジングの接続接点と接続する接続接点が設けられたフードとを有し、
各前記ハウジングは前記ベースに一体形成され、
各前記フードの接続接点に接続する前記ハウジング側は、前記ベースの面に沿って延びていることを特徴とするプラグコネクタ。
【請求項２】
前記フードは、該フードの接続端子に接続したケーブルを通す空間が形成され、
前記ケーブルを通す前記フードの一端側には、コネクタ部が一体形成され、
前記コネクタ部にパッキンを介在させて締付ナットを締め付けることにより、前記ケーブルを保持することを特徴とする請求項１記載のプラグコネクタ。
【請求項３】
前記ベースには、前記フードの移動を規制するガイドが設けられ、
前記フードには、前記ガイドを受ける受部が設けられ、
前記受部を前記ガイドに沿って移動させることにより、前記フードの中心を前記ハウジングの中心に合わせること特徴とする請求項１または２記載のプラグコネクタ。
【請求項４】
前記ガイドと前記受部とには、前記フードを前記ガイドの所定位置で係止する係止手段が設けられていることを特徴とする請求項３記載のプラグコネクタ。
【請求項５】
前記係止手段は、前記ガイドに設けられた係止部と、前記受部にも設けられた係止受部とからなり、
前記係止部または前記係止受部のいずれかの一方は弾性を有し、
前記係合部または前記係合受部のいずれかの他方は、前記係止部または前記係止受部のいずれかの一方に、弾発係止する形状となっていることを特徴とする請求項４記載のプラグコネクタ。      
【発明の詳細な説明】
【技術分野】
【０００１】
本発明は、例えば、給電ケーブルおよび／または通信ケーブルを介して、電気機器または電子機器から外部の電装品に電気的に接続するプラグコネクタに関する。
【背景技術】
【０００２】
先ず、給電ケーブルおよび／または通信ケーブルを介して、電気機器または電子機器から外部の電装品に電気的に接続する具体的な構成として、特許文献１を挙げる。
【０００３】
この特許文献１は、電気チェーンブロックに関するものであり、段落番号０００３〜０００４および図１に示すように、電気チェーンブロック自体を任意の場所に吊り下げるための上フックと（３）と、対象物品を吊り下げるためのチェーン（５）および下フック（６）と、チェーン（５）を収納するためのチェーンバケット（８）と、チェーン（５）を駆動するための駆動装置（４）と、チェーン（５）の上下運動等の操作を行なうスイッチ（９）等からなる。
【０００４】
【特許文献１】特開平１０−１０９８９４号公報
【発明の開示】
【発明が解決しようとする課題】
【０００５】
図１に示すように、スイッチケーブル（７）を介して、スイッチ（９）と駆動手段（４）とは電気的に接続されている。さらに、スイッチケーブル（７）は、本発明のフレームまたはベースに相当する電装品保持部（２）に設けられたハウジング（符号なし）に取り付けられている。
【０００６】
また、ハウジング（符号なし）は、ネジ等によって、電装品保持部材（２）に取り付ける構成となっている。このため、電装品保持部材（２）の幅は、少なくとも、ハウジング自体の幅とハウジングを取り付ける取付幅とを考慮しなければならない。この結果、電装品保持部材（２）の幅が広くなり、装置が大型化してしまうおそれがある。
【０００７】
さらに、先に述べたように、ネジ等によって、ハウジング（符号なし）を電装品保持部材（２）に取り付ける構成であるため、部品点数が多くなり、コストアップや、作業効率の悪化を引き起こす可能性が高いものである。
【０００８】
本発明の課題は、ハウジングの取付スペースを小さくして装置を小型化し、さらに、ハウジングを取り付けるための部品の点数を少なくして、製造原価のコストダウンおよび作業効率を向上させることにある。
【課題を解決するための手段】
【０００９】
上記課題を解決するために、本発明は、電機機器または電子機器のフレームに取り付けられたベースと、ベース上に、並列に配置し、接続接点が設けられたハウジングと、各ハウジングに嵌合して、該ハウジングの接続接点と接続する接続接点が設けられたフードとを有し、各ハウジングはベースに一体形成され、各フードの接続接点に接続するハウジング側は、ベースの面に沿って延びていることを特徴とする。
【００１０】
また、請求項２記載の発明は、フードは、該フードの接続端子に接続したケーブルを通す空間が形成され、ケーブルを通すフードの一端側には、コネクタ部が一体形成され、コネクタ部にパッキンを介在させて締付ナットを締め付けることにより、ケーブルを保持することを特徴とする。
【００１１】
請求項３記載の発明は、ベースには、フードの移動を規制するガイドが設けられ、フードには、ガイドを受ける受部が設けられ、受部をガイドに沿って移動させることにより、フードの中心をハウジングの中心に合わせること特徴とする。
【００１２】
請求項４記載の発明は、ガイドと受部とには、フードをガイドの所定位置で係止する係止手段が設けられていることを特徴とする。
【００１３】
請求項５記載の発明は、係止手段は、ガイドに設けられた係止部と、受部にも設けられた係止受部とからなり、係止部または係止受部のいずれかの一方は弾性を有し、係合部または係合受部のいずれかの他方は、係止部または係止受部のいずれかの一方に、弾発係止する形状となっていることを特徴とする。
【００１４】
請求項６記載の発明は、ハウジングの両側には、該ハウジングに嵌合したフードを固定する固定手段が軸支され、固定手段は、固定した該フードを解除する解除部と、該フードの側面に設けられた受部に掛止する掛止溝を備えたことを特徴とする。
【発明の効果】
【００１５】
上記構成により、本発明によれば、ハウジングの取付スペースを小さくすることができる。また、ハウジングを取り付けるためのネジ等の部品がなくなり、製造原価のコストダウンおよび作業効率を向上させることができる。
【発明を実施するための最良の形態】
【００１６】
以下、図を用いて、本発明の実施の形態を説明する。先ず、本発明のプラグコネクタを適用する装置の概略を図１に示す。この装置は、技術背景で述べた電気チェーンブロックと略同じ構成であり、電気系統等の部品等を保持する電気チェーンブロックのフレーム１０に、電装品カバー２０、チェーン３０、チェーン３０を駆動する駆動装置４０、チェーン３０の上下運動等の操作を行なうスイッチ５０が取り付けられている。
【００１７】
また、フレーム１０の一方側には、チェーン３０を収納するためのチェーンバケット３２が取り付けられている。また、チェーン３０の先端には、対象物品を吊り下げるための下フック３１が取り付けられている。駆動装置４０は、スイッチ５０と電気的に接続されている。
【００１８】
さらに、詳しく述べると、ケーブル７０の一端側はスイッチ５０に取り付けられ、ケーブル７０の他端側は後に述べる本発明のプラグコネクタを構成するハウジング６０に取り付けられている。スイッチ５０と駆動装置４０とは、本発明のプラグコネクタを介して、電気的接続が図られている。
【００１９】
図２に示すように、プラグコネクタは、ベース８０と、ハウジング６０と、フード９０とからなる。図３に示すように、ベース８０は、熱可塑性合成樹脂等の樹脂材料、具体的にはポリカーボネートからなる。ベース８０内は複数の枠体８１が適宜間隔で格子状に形成されている。
【００２０】
適宜の各枠体８１が交わる部分にはベース８０をフレーム１０に取り付ける取付孔８４が設けられている。取付孔８４が設けられた枠体８１の交わった部分は、補強リブ８５が形成され、ベース８０の強度を高めている。また、ベース８０の外周面は突部８２が設けられている。突部８２は、フレーム１０に設けられた取付部１１に嵌るように、僅かに突出している。
【００２１】
なお、この実施の形態において、ベース８０はフレーム１０に取り付ける構成であるが、これに限定されることはなく、ベース８０自体をフレーム１０としたり、またはベース８０自体をフレーム１０の一構成部としたりしてもよい。
【００２２】
さらに、再び図２にもどり、ベース８０には、ハウジング６０が、一つ以上、一体形成して設けられている。ハウジング６０は、ケーブル７０がフレーム１０内からスイッチ５０側（図１でいうと下方側、すなわちベース８０の面に沿う方向）に引き出せるように、略Ｌ字状の形成されている。
【００２３】
また、図４に示すように、ベース８０から突出したハウジング６０の開口周面は、フード９０に収容できる形状となっている。ハウジング６０の内部には、接続接点６２を備えたアダプタ６５が収容されている。
【００２４】
この接続接点６２は、後に述べるフード９０の接続接点９１と電気的に接続するものである。なお、フード９０の接続接点９１と直接接続しない一方側は、図示しないケーブルが接続されている。このケーブルは、連通孔６１を通して、駆動装置４０に接続されている。
【００２５】
なお、接続接点６２は、具体的に、オスピンまたはメスピンであり、このオスピンまたはメスピンは、対応するケーブル６００の単線に各々結線されている。さらに、接続接点６２は、後に述べるフード９０のアダプタ９８に設けられた接続接点９１と嵌合する。ここで、フード９０の接続接点９１は、ハウジング６０の接続接点６２に対応したオスピンまたはメスピンである。
【００２６】
また、図２、図４および図５に示すように、ベース８０において、ハウジング６０が配置された位置から適宜に離れた位置には、ガイド１００が設けられている。ガイド１００は、フード９０の移動を一方向に規制して、フード９０をハウジング６０へ嵌合中に、フード９０の接続接点９１が不用意な方向から進入して、各接続接点（６２、９１）が壊れないように、フード９０の中心をハウジング６０の中心に合わせるものである。
【００２７】
さらに、ガイド１００の長さは、ハウジング６０にフード９０を確実に嵌合し、ハウジング６０にフード９０が嵌合した時にフード９０が必要以上に進入しない長さを有する。
【００２８】
具体的に、ガイド１００はフード９０の進入方向に延びた板状部材からなる。ガイド１００には、フード９０の進入方向に沿ってガイド溝１１０が設けられている。また、各フード９０の間に配置されたガイド１００は、両側にガイド溝１１０が設けられ、ガイド１００の部品点数を少なくしている。
【００２９】
なお、各フード９０間に配置されたガイド１００は、両側にガイド溝１１０を設けたものを適用しているが、片側のみにガイド溝１１０が設けられたガイドを適用して部品の共通化を図ってもよい。
【００３０】
フード９０は、ハウジング６０と嵌合することにより、このハウジング６０の接続接点６２と電気的に接続するものである。フード９０は、ベース８０と同様に、熱可塑性合成樹脂等の樹脂材料、具体的にはポリカーボネートからなる。
【００３１】
さらに、図６に示すように、フード９０の内部は、接続接点９１に接続されたケーブル７０を通すための挿通孔９２が形成されている。また、フード９０の内部には、ハウジング６０と同様に、アダプタ９８が収容されている。このアダプタ９８には、ハウジング６０の接続接点６２と接続する接続接点９１が設けられている。
【００３２】
ケーブル７０は、スイッチ５０に接続され、フード９０をハウジング６０に嵌合することにより、スイッチ５０と駆動装置４０との電気的接続が図られる。なお、この実施の形態において、ケーブル７０は一部をスイッチケーブルとして開示しているが、これに限定されることはなく、給電ケーブル、通信ケーブルまたは、これらの組合せであっても良い。
【００３３】
また、接続接点９１が設けられているフード９０の開口部９３は、ハウジング６０の開口部９３周縁が収容できるように形成されている。さらに、フード９０の開口部９３に近い側面には、後に述べる固定手段２００を支持するさらに、ケーブル７０が挿通されたフード９０の周縁には、コネクタ部９４が一体形成されている。
【００３４】
コネクタ部９４は、図６に示すように、パッキン９５とカラー９６とを介在させて、締付ナット９７で締め付けることにより、ケーブルの密閉化および確実なケーブルの保持が図られる。また、コネクタ部９４をフード９０に一体形成することにより、部品点数を少なくして、製品のコストダウンや作業効率を向上させることができる。
【００３５】
フランジ部９４ａは、鍔部９４ｂの径よりも僅かに小さく、軸線方向側に向かった所定の幅を持っている。フランジ部９４ａの内周面は、ケーブルが挿入しやすい形状となっている。さらに、フランジ部９４ａの外周面（いわゆる外壁）は後に述べる締付ナット９７と螺合するねじ部９４ｃが設けられている。
【００３６】
また、カラー９６の足部９６ａを受け入れるように、フランジ部９４ａの外壁面に端縁から軸方向中央に向かって、後に述べるカラー９６の足部９６ａを差し込むための縦溝９４ｄが形成されている。締付ナット９７が進入してくるフランジ部９４ａの端面は、パッキン９５の端面とカラー９６の端面が密着できるように形成されている。
【００３７】
縦溝９４ｄの幅および長さは足部９６ａの形状に合わせて設計される。締付ナット９７の締め付ける時、この縦溝９４ｄへ足部９６ａが差込まれることにより、カラー９６がフード９０と一体形成されたコネクタ部９４に係止され、かかる係止によりカラー９６の回り止めが行われる。
【００３８】
締付ナット９７はコネクタ部９４と螺合するものであり、ポリアミド系の合成樹脂で形成されている。締付ナット９７は、袋状の円筒体よりなり、ケーブル（図示なし）の外径よりも僅かに大きい径を有するケーブル孔（図示なし）と、ケーブル孔の外周縁より連続して軸線と平行に延びる円筒フランジ部９７ａとからなる。
【００３９】
円筒フランジ部９７ａは、その内周面にコネクタ部９４と螺合する雌ネジが設けられ、外周部にはナット締め用の締付部９７ｂが形成されている。ケーブル（図示なし）が挿通可能な開口を有する環状のカラー９６が遊嵌して配置されている。
【００４０】
パッキン９５は、ゴム等の弾性体により形成された幅広の筒状体であり、ケーブル６００の外径とほぼ等しいまたは僅かに大きい内径を有し、且つその両端近くの内面はその端部から中央側に向かって所定長さだけ漸次に縮径されている。
【００４１】
これによりパッキン９５の両端側に圧力が加わったときには、パッキン９５は中央部を中心に外側に反り返るように変形する。この変形によりパッキン９５の内周面の腹がケーブル（図示なし）の外周面に圧接し、ケーブル（図示なし）を固定する。
【００４２】
締付ナット９７の内壁端面とパッキン９５との間に装着されるカラー９６は、パッキン９５の一端面と接触してそれを受けるドーナツ円盤状の接触面を形成する底壁９６ｂと、底壁９６ｂの縁部から軸線方向に突出した足部９６ａとからなる。
【００４３】
さらに、締付ナット９７の内壁面（図示せず）と、この内壁面に接触するカラー９６の当接面には、各々、締付ナット９７の緩み方向に対して抵抗する方向に傾斜した複数の山を環状に配列して有するラチェット９６ｄが形成されている。
【００４４】
なお、側壁の中央孔９６ｃはケーブルを挿通するために、締付ナット９７のケーブル孔とほぼ同じ径となっている。図示例では１８０度で対面する薄厚の平行する２本の足部９６ａを示すが、それ以上の数の足部９６ａを設けても良く、また、足部９６ａと足部９６ａとの角度間隔は等間隔であることにこだわらない。
【００４５】
さらに、フード９０の両側には受部１２０が設けられている。受部１２０は、フード９０の進方向に伸び、断面をガイド溝１１０に嵌る形状をなしている。受部１２０は、ガイド１００の長さと略同じ長さを持っている。ガイド１００側と向かい合う受部１２０の先端は、ガイド溝１１０に導入されやすいように、円弧状に形成されている。
【００４６】
また、フード９０は、係止手段３００により、ガイド１００の所定位置で係止する。係止手段３００は係止部３１０と係止受部３２０とからなる。係止部３１０はバネ材等の弾性を有する部材からなり、ガイド溝１１０内に設けられている。さらに、係止部３１０には一部が突出した圧接部３１１が形成されている。
【００４７】
係止受部３２０はフード９０の受部１２０に設けられている。係止受部３２０には、圧接部３１１を嵌め込む圧接溝３２１が設けられている。なお、圧接部３１１および圧接溝３２１は、ハウジング６０にフード９０が嵌合する位置に配置されている。
【００４８】
また、フード９０の側面には、受部１２０とは別に、掛止部１３０が設けられている。掛止部１３０は、後に述べる固定手段２００により、ハウジング６０に嵌合したフード９０を固定するものであり、フード９０の開口部９３側に配置されている。
【００４９】
固定手段２００は、ハウジング６０に嵌合したフード９０を固定するものである。図８に示すように、固定手段２００は、ポリアミド樹脂等からなる板状の部材を略コ字状に形成したものであり、側部２１０と平面部２２０とからなる。
【００５０】
側部２１０はハウジング６０の支持部６４に軸支するものである。また、側部２１０の自由端側には掛止溝２１１が設けられている。掛止溝２１１は、ハウジング６０にフード９０を固定した時に、掛止部１３０に嵌る形状をなしている。
【００５１】
具体的に、掛止溝２１１は、掛止溝２１１を掛止部１３０側にガイドする導入部２１２と、掛止溝２１１を掛止部１３０に嵌める嵌合部２１３とからなる。導入部２１２は、固定手段２００が操作しやすいように円弧状に形成されている。また、嵌合部２１３は、嵌合部２１３に嵌った掛止部１３０が外れないように、導入部２１２より略内側に入り組んで形成されている。
【００５２】
平面部２２０は取手をなくし低背の構成としている。平面部２２０には、ハウジング６０とフード９０とを固定した状態を解除する解除部２２１が設けられている。解除部２２１は、マイナスドライバー等の先端が侵入できる段差を有し、フード９０をハウジング６０から解除する時は、段差内にマイナスドライバー等の先端を入れて、ドライバーを回すことにより行う。
【００５３】
以上の構成により、ハウジング６０にフード９０を固定する時には、先ず、フード９０のコネクタ部９４に締付ナット９７を締め、フード９０内のケーブル７０を保持する。これにより、確実なケーブルの保持を図りながら、フード９０内にあるケーブルの密閉化が図られ、フード９０内への粉塵の進入の防止、防水を高めることができる。
【００５４】
ケーブル７０が保持されたフード９０の開口部９３をハウジング６０の開口部６３に向け、フード９０に設けられた各受部１２０の先端を、それぞれ対応したガイド１００のガイド溝１１０に合わせる。この後、ガイド溝１１０に沿って、フード９０をハウジング６０の開口部６３にスライドさせる。
【００５５】
この構成により、フード９０の移動は一方向に規制され、フード９０が不用意な方向から進入して、各接続接点（６２、９１）を壊すことなく、フード９０の中心をハウジングの中心に合わすことができる。
【００５６】
また、ガイド１００はフード９０の外側に設けられているため、外方からの突発的な衝撃があっても、衝撃力を、ハウジング６０とフード９０との嵌合部分に与えることはない。
【００５７】
さらに、フード９０をスライドさせていくと、係止受部３２０に設けられた圧接溝３２１にガイド溝１１０内に設けられた圧接部３１１が弾発係止し、圧接部３１１が圧接溝３２１に嵌った状態となる。これにより、ハウジング６０の開口部６３にフード９０が嵌合し、各接続接点（６２、９１）が電気的に接続する。
【００５８】
この構成は、特に、図１に示すような、フード９０を下方からスライドさせてハウジング６０に嵌合する場合には、フード９０の自重により、下方に落ちることがなく、このための対策を行う必要が無くなり、作業効率を高めることができる。
【００５９】
この後、固定手段２００をハウジング６０およびフード９０の上面に下ろして、固定手段２００の掛止溝２１１を掛止部１３０に嵌めて、ハウジング６０とフード９０の嵌合状態を保持する。
【００６０】
また、ハウジング６０からフード９０の嵌合を解除する時は、固定手段２００の段差内にマイナスドライバー等の先端を入れて、ドライバーを回して、掛止溝２１１を掛止部１３０から外して、先に述べた逆の順で作業を行う。
【図面の簡単な説明】
【００６１】
【図１】本発明のプラグコネクタを適用した電気チェーンブロックの概略図。
【図２】本発明のプラグコネクタをフレーム材に取り付けた概略図。
【図３】ベースの裏面図（図２において矢視Ａからベースを見た図）。
【図４】本発明のプラグコネクタの上面図（図２において矢視Ｂから見た図）。
【図５】図２のＣ−Ｃ断面図。
【図６】フードの概略図
【図７】図６のフードを組み付け、矢視Ｄからみた図。
【図８】固定手段の詳細を示す概略図であり、（ａ）は上面図、（ｂ）は側面図。
【符号の説明】
【００６２】
１０  フレーム
６０  ハウジング
６１  連通孔
６２  接続接点
８０  ベース
９０  フード
９１  接続接点
１００  ガイド
１２０  受部
２１１  掛止溝
３００  係止手段
３１０  係止部
３２０  係止受部
.
【図１】
2007066752.tif 000003
【図２】
2007066752.tif 000004
【図３】
2007066752.tif 000005
【図４】
2007066752.tif 000006
【図５】
2007066752.tif 000007
【図６】
2007066752.tif 000008
【図７】
2007066752.tif 000009
【図８】
2007066752.tif 000010